(57)【要約】【課題】本発明は、端末の位置情報に基づいてサービスの提供を受ける際に、単一のサーバを用いて各々のサービスのエリアが正確に判断できるとともに、各々のエリアを詳細に設定することが可能なサービスシステムを提供する。【解決手段】サービスを提供するサーバ３と、このサーバ３から提供されたサービスを受信する通信端末２とを備えたサービスシステムである。通信端末２は、アンテナ４Ａからの電波を受信する第１の受信手段と、電波に基づいてアンテナ４Ａの識別情報を含んだＵＲＬをサーバ３に送信する第１の送信手段と、アンテナ４Ａの識別情報を含んだＵＲＬに基づいてサーバ３から送信されたサービスを受信する第２の受信手段と、を備える。サーバ３は、アンテナ４Ａの識別情報を含んだＵＲＬを通信端末２から受信する第３の受信手段と、アンテナ４Ａの識別情報を含んだＵＲＬに基づいてサービスを抽出する抽出手段と、抽出されたサービスを通信端末２に送信する第２の送信手段とを備える。【選択図】  図２
2010011068.tif 000002
【特許請求の範囲】
【請求項１】
アンテナからの電波に基づいたアンテナの識別情報を受信する第１の受信手段と、
前記第１の受信手段により受信されたアンテナの識別情報を含んだＵＲＬをサーバに送信する送信手段と、
前記送信手段により送信されたアンテナの識別情報を含んだＵＲＬに基づいて前記サーバから送信されたサービスを受信する第２の受信手段と、
を備えたことを特徴とする通信端末。
【請求項２】
前記第１の受信手段は、複数のアンテナからの電波に基づいた識別情報を受信し、
前記送信手段は、前記第１の受信手段により受信された複数のアンテナの識別情報を含んだＵＲＬをサーバに送信することを特徴とする請求項１記載の通信端末。
【請求項３】
表示情報を表示する表示手段を備え、
前記表示手段は、前記第２の受信手段により受信された前記サービスに基づいた表示情報を表示することを特徴とする請求項１記載の通信端末。
【請求項４】
サービスを提供するサーバと、このサーバから提供されたサービスを受信する通信端末とを備えたサービスシステムであって、
前記通信端末は、
アンテナからの電波に基づいたアンテナの識別情報を受信する第１の受信手段と、
前記第１の受信手段により受信されたアンテナの識別情報を含んだＵＲＬを前記サーバに送信する第１の送信手段と、
前記第１の送信手段により送信されたアンテナの識別情報を含んだＵＲＬに基づいて前記サーバから送信されたサービスを受信する第２の受信手段と、を備え、
前記サーバは、
前記アンテナの識別情報を含んだＵＲＬを前記通信端末から受信する第３の受信手段と、
前記第３の受信手段により受信されたアンテナの識別情報を含んだＵＲＬに基づいてサービスを抽出する抽出手段と、
前記抽出手段により抽出されたサービスを前記通信端末に送信する第２の送信手段と、を備えたことを特徴とするサービスシステム。
【請求項５】
前記サーバは、アンテナの識別情報とサービスとがそれぞれ対応付けられた情報を記憶する記憶手段を備え、
前記サーバの抽出手段は、前記記憶手段により記憶された情報に基づいてサービスを抽出することを特徴とする請求項４記載のサービスシステム。
【請求項６】
前記通信端末の第１の受信手段は、複数のアンテナからの電波に基づいた複数のアンテナの識別情報を受信し、
前記通信端末の第１の送信手段は、前記第１の受信手段により受信された複数のアンテナの識別情報を含んだＵＲＬをサーバに送信し、
前記サーバの抽出手段は、前記第３の受信手段により受信された複数のアンテナの識別情報を含んだＵＲＬに基づいてサービスを抽出することを特徴とする請求項４記載のサービスシステム。
【請求項７】
前記通信端末は、前記第２の受信手段により受信された前記アンテナの識別情報を含んだＵＲＬに基づいた表示情報を表示する表示手段を備えたことを特徴とする請求項４記載のサービスシステム。
【請求項８】
アンテナからの電波に基づいたアンテナの識別情報を受信する第１の受信ステップと、
前記第１の受信ステップにより受信されたアンテナの識別情報を含んだＵＲＬをサーバに送信する送信ステップと、
前記送信ステップにより送信されたアンテナの識別情報を含んだＵＲＬに基づいて前記サーバから送信されたサービスを受信する第２の受信ステップと、
を行うことを特徴とするサービス提供方法。
【請求項９】
前記第１の受信ステップにて、複数のアンテナからの電波に基づいた複数のアンテナの識別情報を受信し、
前記送信ステップにて、前記第１の受信ステップにて受信された複数のアンテナの識別情報を含んだＵＲＬをサーバに送信することを特徴とする請求項８記載のサービス提供方法。
【請求項１０】
前記第２の受信ステップにて、前記サーバから前記アンテナの識別情報を含んだＵＲＬに基づいたサービスを受信し、
前記第２の受信手段にて受信された前記アンテナの識別情報を含んだＵＲＬに基づいた表示情報を表示する表示ステップを行うことを特徴とする請求項８記載のサービス提供方法。
【発明の詳細な説明】
【技術分野】
【０００１】
本発明は、アンテナから受信した電波に基づいて端末の位置情報を判断して、この位置情報に基づいてサービスの提供を受ける通信端末、通信端末を使用したサービスシステム、及び通信端末を利用したサービス提供方法に関する。
【背景技術】
【０００２】
近年、移動通信端末の位置検出において、ＧＰＳ（Ｇｌｏｂａｌ  Ｐｏｓｉｔｉｏｎｉｎｇ  Ｓｙｓｔｅｍ）を用いた方式が最も普及しており、従来のカーナビゲーションシステムのみでなくＧＰＳ搭載の携帯電話機が、ユーザや端末の位置検出に有効に利用されるようになってきている。一方で、携帯電話機やＰＤＡ（Ｐｅｒｓｏｎａｌ  Ｄｉｇｉｔａｌ  Ａｓｓｉｓｔａｎｔ）等の移動通信端末において、取得した位置情報に応じて、ユーザ（端末）の現在地の周辺地図がサーバからダウンロードされて表示されたり、周辺の飲食店など店舗の情報が検索されたりと、位置情報を基にしたサービスが展開されつつある。しかしながら、産業的に利用されている位置検出技術であるＧＰＳでは屋内や地下では衛星からの電波が届かず利用できないという問題があった。
【０００３】
そこで、屋内や地下でも利用できる安価な位置計測及びナビゲーションシステムが提案されている（特許文献１参照）。このナビゲーションシステムは、近距離無線を備えた移動端末と基地局の位置情報通信網により、送受信電力を比較することで、端末と基地局の距離を計測し、三点測量によりユーザの位置を決定し、近距離無線通信により地図や店舗情報などのコンテンツをユーザに配信するものである。
【特許文献１】特開２００５−８６５７９号公報
【発明の開示】
【発明が解決しようとする課題】
【０００４】
移動通信端末の位置情報を三点測量により計測した場合には、誤差が大きくなってしまい、端末の正確な位置を把握できないという問題がった。また、端末の正確な位置を把握できないために、移動端末が正確な地図や店舗情報などのコンテンツを取得できないという問題もあった。さらに、移動通信端末が基地局からの電波が届かない場所にあるときには三点測量を行えず、またサービスを提供するためのエリアを詳細に設定することも困難であるという問題もあった。
【０００５】
本発明は、上記課題を鑑みなされたもので、端末の位置情報に基づいてサービスの提供を受ける際に、単一のサーバを用いて各々のサービスのエリアが正確に判断できるとともに、各々のエリアを詳細に設定することが可能な通信端末、通信端末を使用したサービスシステム、及び通信端末を利用したサービス提供方法を提供することを目的とする。
【課題を解決するための手段】
【０００６】
上記課題を解決するために、本発明に係る通信端末は、アンテナからの電波に基づいたアンテナの識別情報を受信する第１の受信手段と、前記第１の受信手段により受信されたアンテナの識別情報を含んだＵＲＬをサーバに送信する送信手段と、前記送信手段により送信されたアンテナの識別情報を含んだＵＲＬに基づいて前記サーバから送信されたサービスを受信する第２の受信手段と、を備えたことを特徴とする。
【０００７】
また、本発明に係るサービスシステムは、サービスを提供するサーバと、このサーバから提供されたサービスを受信する通信端末とを備えたサービスシステムであって、前記通信端末は、アンテナからの電波に基づいたアンテナの識別情報を受信する第１の受信手段と、前記第１の受信手段により受信されたアンテナの識別情報を含んだＵＲＬを前記サーバに送信する第１の送信手段と、前記送信手段により送信されたアンテナの識別情報を含んだＵＲＬに基づいて前記サーバから送信されたサービスを受信する第２の受信手段と、を備え、前記サーバは、前記アンテナの識別情報を含んだＵＲＬを前記通信端末から受信する第３の受信手段と、前記第３の受信手段により受信されたアンテナの識別情報を含んだＵＲＬに基づいてサービスを抽出する抽出手段と、前記抽出手段により抽出されたサービスを前記通信端末に送信する第２の送信手段と、を備えたことを特徴とする。
【０００８】
また、本発明に係るサービス提供方法は、アンテナからの電波に基づいたアンテナの識別情報を受信する第１の受信ステップと、前記第１の受信ステップにより受信されたアンテナの識別情報を含んだＵＲＬをサーバに送信する送信ステップと、前記送信ステップにより送信されたアンテナの識別情報を含んだＵＲＬに基づいて前記サーバから送信されたサービスを受信する第２の受信ステップと、を行うことを特徴とする。
【発明の効果】
【０００９】
本発明に係る通信端末、通信端末を使用したサービスシステム、及び通信端末を利用したサービス提供方法によると、端末の位置情報に基づいてサービスの提供を受ける際に、単一のサーバを用いて各々のサービスのエリアが正確に判断できるとともに、各々のエリアを詳細に設定することが可能である。
【発明を実施するための最良の形態】
【００１０】
本発明に係る通信端末、通信端末を使用したサービスシステム、及び通信端末を利用したサービス提供方法の実施形態について、添付図面に基づいて説明する。図１は、本発明に係るサービスシステム１のシステム構成図である。サービスシステム１は、例えばユーザ個人が使用する複数の機器同士を接続するためのＰＡＮ（Ｐｅｒｓｏｎａｌ  Ａｒｅａ  Ｎｅｔｗｏｒｋ）システムである。ＰＡＮシステムは、室内規模のネットワークとして構築されたシステムであり、ＰＣ（Ｐｅｒｓｏｎａｌ  Ｃｏｍｐｕｔｅｒ）やＰＤＡ（Ｐｅｒｓｏｎａｌ  Ｄｉｇｉｔａｌ  Ａｓｓｉｓｔａｎｔ）、携帯電話機等の複数の通信端末を連携させるシステムである。ＰＡＮシステムにおけるネットワークは、ＵＳＢやＦｉｒｅＷｉｒｅ（登録商標）等の有線通信、またＢｌｕｅｔｏｏｔｈ（登録商標）やＩｒＤＡ等の無線通信により構築されている。
【００１１】
図１に示すように、サービスシステム１は、移動無線局である通信端末２、２Ａ、２Ｂを備えている。通信端末２、２Ａ、２Ｂは、例えば携帯電話機やノート型のＰＣ、ＰＤＡ、デジタルカメラ、携帯音楽プレイヤー、携帯ゲーム機等である。
【００１２】
またサービスシステム１は、通信端末２、２Ａ、２Ｂに対して通信を行うサーバ３と、通信端末２、２Ａ、２Ｂに対して信号を送信する複数のアンテナ４Ａ乃至４Ｃを備えている。アンテナ４Ａ乃至４Ｃは、電波の送信可能なエリアＡ乃至Ｃを各々形成していて、通信端末２、２Ａ、２Ｂは、これらのエリアＡ乃至Ｃの内部にあるときにのみ、アンテナ４Ａ乃至４Ｃからの電波を受信することができる。
【００１３】
図２及び図３に、通信端末２（または通信端末２Ａ、２Ｂ）がアンテナ４Ａから電波を受信して、この電波に基づいてサーバ３からのサービスの提供を受ける手順を説明するための概略図である。図２に示すように、アンテナ４Ａは、自身の識別情報であるアンテナＡを示す電波を、エリアＡ内において放送している。通信端末２は、エリアＡ内においてこの電波を受信すると、アンテナＡからの電波を受信した旨を示す信号（アンテナＡの識別情報）を、サーバ３に対して送信する。サーバ３は、アンテナＡからの電波を受信した旨を示す信号を受信すると、その通信端末２に対して、アンテナＡに対応するサービスであるサービスＡを提供する。
【００１４】
アンテナ４Ｂ、４Ｃについても同様に、自身の識別情報であるアンテナＢ、Ｃを示す電波を、エリアＢ、Ｃ内において放送している。通信端末２は、エリアＢ、Ｃ内においてこれらの電波を受信すると、アンテナＢ、Ｃからの電波を受信した旨を示す信号（アンテナＢ、Ｃの識別情報）を、サーバ３に対して送信する。サーバ３は、アンテナＢ、Ｃからの電波を受信した旨を示す信号を受信すると、その通信端末２に対して、アンテナＢ、Ｃに対応するサービスであるサービスＢ、Ｃを提供する。
【００１５】
このようにして通信端末２は、図３に示すように、アンテナ４Ａが形成するエリアＡ内にあるときには、サーバ３からアンテナＡに対応するサービスＡの提供を受け、アンテナ４Ｂが形成するエリアＢ内にあるときには、サーバ３からアンテナＢに対応するサービスＢの提供を受け、同様に、アンテナ４Ｃが形成するエリアＣ内にあるときには、サーバ３からアンテナＣに対応するサービスＣの提供を受ける。これにより、通信端末２のユーザは、ユーザ自身がどこにいるのか（通信端末２がどこの場所にあるのか）を意識せずとも、各々の位置に応じたサービスの提供を受けることができる。
【００１６】
例えば、ショッピングセンターや展示会などの会場にサーバ３を設置し、同時に複数の所定の場所にそれぞれアンテナ４Ａ乃至４Ｃを設定しておくことで、ユーザは通信端末２を用いて、売り場や展示場所に応じたサービス（アナウンス等）を受けることができる。
【００１７】
図４は、通信端末２の機能ブロック図である。通信端末２は、例えば携帯電話機であり、図４に示すように、制御部１１、メモリ１２、記憶部１３、音声制御部１４、ディスプレイ１５、操作キー１６、通信制御部１７を備えていて、これらはバスブリッジやコントローラ等により相互に通信可能に接続されている。
【００１８】
制御部１１はＣＰＵ（Ｃｅｎｔｒａｌ  Ｐｒｏｃｅｓｓｉｎｇ  Ｕｎｉｔ）を具備し、通信端末２を総括的に制御するとともに、後述するサービス受信処理や、その他の様々な演算処理や制御処理を行う。メモリ１２は、例えばＲＡＭ（Ｒａｎｄｏｍ  Ａｃｃｅｓｓ  Ｍｅｍｏｒｙ）を具備し、制御部１１が処理を行う際の作業領域として、一時的にデータを記憶する。記憶部１３は、ＨＤ（Ｈａｒｄ  Ｄｉｓｋ）やＲＯＭ（Ｒｅａｄ  Ｏｎｌｙ  Ｍｅｍｏｒｙ）等の記憶装置を具備し、制御部１１が処理を行うためのプログラムやデータを記憶する。
【００１９】
音声制御部１４は、通信端末２に内蔵されたマイクロフォン１４ａやスピーカ１４ｂに対する入出力のインタフェースを備えている。そして音声制御部１４は、制御部１１の制御に基づいて、マイクロフォン１４ａにより集音された音声をデジタル信号に変換して、制御部１１に伝送したり、デジタル音声をアナログ音声に変換してスピーカ１４ｂから出力したりする。
【００２０】
制御部１１は、ディスプレイ１５に対するインタフェースを備え、このディスプレイ１５に文書データや画像データを表示する。また制御部１１は、操作キー１６に対する入力インタフェースを備えていて、ユーザにより操作キー１６が押下されたことを検出すると、この押下された操作キー１６に基づいて処理を行う。
【００２１】
通信制御部１７は、アンテナ４Ａ乃至４Ｃ、またはサーバ３に対して電波を送受信するためのアンテナ１７ａを備えている。そして通信制御部１７は、制御部１１の制御に基づいて、アンテナ１７ａを介して受信した受信信号をスペクトラム逆拡散処理してデータを復元する。このデータは、制御部１１の指示により、音声制御部１７に伝送されてスピーカ１４ｂから出力されたり、ディスプレイ１５に表示されたり、または記憶部１３に記録されたりする。また通信制御部１７は、制御部１１の指示により、マイクロフォン１４ａで集音された音声データや操作キー１６を介して入力されたデータ、記憶部１３に記憶されたデータ等を取得すると、これらのデータに対してスペクトラム拡散処理を行い、アンテナ１７ａを介して送信する。
【００２２】
図５は、サーバ３の機能ブロック図である。サーバ５は、図５に示すように、少なくとも制御部２１、メモリ２２、記憶部２３、通信制御部２４を備えていて、これらはバスブリッジやコントローラ等により相互に通信可能に接続されている。
【００２３】
制御部２１はＣＰＵ（Ｃｅｎｔｒａｌ  Ｐｒｏｃｅｓｓｉｎｇ  Ｕｎｉｔ）を具備し、サーバ３を総括的に制御するとともに、後述するサービス提供処理や、その他の様々な演算処理や制御処理を行う。メモリ２２は、例えばＲＡＭ（Ｒａｎｄｏｍ  Ａｃｃｅｓｓ  Ｍｅｍｏｒｙ）を具備し、制御部２１が処理を行う際の作業領域として、一時的にデータを記憶する。記憶部２３は、ＨＤ（Ｈａｒｄ  Ｄｉｓｋ）やＲＯＭ（Ｒｅａｄ  Ｏｎｌｙ  Ｍｅｍｏｒｙ）等の記憶装置を具備し、制御部２１が処理を行うためのプログラムやデータを記憶する。
【００２４】
通信制御部２４は、通信端末２に対して電波を送受信するためのアンテナ２４ａを備えている。そして通信制御部２４は、制御部２１の制御に基づいて、アンテナ２４ａを介して受信した受信信号をスペクトラム逆拡散処理してデータを復元する。このデータは、制御部２１の指示により、メモリ２２や記憶部２３に記録される。また通信制御部２４は、制御部２１の指示により、メモリ２２や記憶部２３に記憶されたデータを取得すると、これらのデータに対してスペクトラム拡散処理を行い、アンテナ２４ａを介して送信する。
【００２５】
ここで、通信端末２は、ユーザに対して位置情報に応じたサービスを提供するサービス提供処理を行う。通信端末２の記憶部１３は、周囲にあるアンテナ４Ａ乃至４Ｃからの電波を受信した際に、このアンテナの識別情報に基づいたサービスをユーザに提供するための対応情報３０を記憶している。対応情報３０は、図６に示すように、例えば、アンテナの識別情報を示すアンテナ情報３１に対して、サービス内容を示すサービス情報３２がそれぞれ対応付けられた情報である。サービス情報３２は、例えば当該サービスが情報を提供するサービスであった場合には、ＵＲＬ（Ｕｎｉｆｏｒｍ  Ｒｅｓｏｕｒｃｅ  Ｌｏｃａｔｏｒ）で示されている。
【００２６】
例えば図６に示す対応情報３０によると、「アンテナＡ」のアンテナ情報３１に対して「ｈｔｔｐ：／／ｔｏｓｈｉｂａ．ｃｏ．ｊｐ／ａｎｔｅｎｎａＡ／」のサービス情報３２が、「アンテナＢ」のアンテナ情報３１に対して「ｈｔｔｐ：／／ｔｏｓｈｉｂａ．ｃｏ．ｊｐ／ａｎｔｅｎｎａＢ／」のサービス情報３２が、「アンテナＣ」のアンテナ情報３１に対して「ｈｔｔｐ：／／ｔｏｓｈｉｂａ．ｃｏ．ｊｐ／ａｎｔｅｎｎａＣ／」のサービス情報３２が、それぞれ対応付けられている。
【００２７】
通信端末２は、アンテナ４Ａ乃至４Ｃから電波を受信した際に、対応情報３０に基づいて、電波を受信したアンテナ４Ａ乃至４Ｃの識別情報に対応付けられたサービス情報３２を取得して、このサービス情報３２（電波を受信したアンテナ４Ａ乃至４Ｃの識別情報を含んだＵＲＬ）をサーバ３に送信する。
【００２８】
サーバ３は、通信端末２がアンテナ４Ａ乃至４Ｃの電波を受信して、このアンテナ４Ａ乃至４Ｃの識別情報を含んだＵＲＬを送信した際に、このアンテナ４Ａ乃至４Ｃの識別情報を含んだＵＲＬを受信して、このＵＲＬに基づいてサービスを抽出して、通信端末２に対してこの抽出されたサービスを提供する。
【００２９】
サービスシステム１において、複数のアンテナ４Ａ乃至４Ｃを所定箇所に設定することにより、サーバ３が通信端末２に対してサービスを提供する領域Ａ乃至Ｃを設定している。通信端末２は、配置されているアンテナ４Ａ乃至４Ｃからアンテナの識別情報（あるいはサービスの識別情報）を無線通信により取得し、この識別情報を含んだＵＲＬをサーバ３に対して送信する。サーバ３が、通信端末２から受信したアンテナ４Ａ乃至４Ｃの識別情報を含んだＵＲＬに基づいてサービスを選択して、このサービスを通信端末２に送信することにより、通信端末２は、サーバ３からこのアンテナ４Ａ乃至４Ｃの識別情報を含んだＵＲＬに基づいたサービスの提供を受けることができる。
【００３０】
まず、通信端末２がアンテナ４Ａ乃至４Ｃからの電波を受信したときに、サーバ３からこの受信したアンテナ４Ａ乃至４Ｃの識別情報に応じたサービスの提供を受けるサービス受信処理を行う際の手順について、図７に示すフローチャートに基づいて説明する。以下、例えば「ステップＳ１０１」を「Ｓ１０１」のように「ステップ」の語句を省略して説明する。
【００３１】
まず通信端末２の制御部１１は、通信端末２がアンテナ４Ａ乃至４Ｃからの電波を受信したか否かを判断する（Ｓ１０１）。アンテナ４Ａ乃至４Ｃは、各々のエリアＡ乃至Ｃにおいて、自身の識別情報を示す電波を常時放送していて、通信端末２は、これらのエリアＡ乃至Ｃにある場合に、これらのアンテナ４Ａ乃至４Ｃが放送する電波を受信する。通信端末２がアンテナ４Ａ乃至４Ｃからの電波を受信していない場合（Ｓ１０１のＮｏ）は、制御部１１はそのまま待機する。
【００３２】
通信端末２がアンテナ４Ａ乃至４Ｃからの電波を受信した場合（Ｓ１０１のＹｅｓ）は、制御部１１は、受信した電波が示す識別情報に基づいてアンテナを識別して、アンテナのリストに登録する（Ｓ１０３）。このアンテナのリストは、例えば、通信端末２が電波を受信している際に、電波の放送元となっているアンテナが羅列されたリストであり、メモリ１２または記憶部１３に記憶されている。
【００３３】
制御部１１は、ステップＳ１０３にて登録されたアンテナ以外のアンテナから、電波を受信しているか否かを判断する（Ｓ１０５）。例えば各々のアンテナ４Ａ乃至４Ｃの形成するエリアＡ乃至Ｃが重なっていった場合等には、通信端末２は、複数のアンテナからの電波を受信している可能性がある。他のアンテナからの電波を受信していた場合（Ｓ１０５のＹｅｓ）は、ステップＳ１０３に戻って、制御部１１は、受信した電波が示す識別情報に基づいてアンテナを識別して、再びアンテナのリストに登録する。
【００３４】
他のアンテナからの電波を受信していない場合（Ｓ１０５のＮｏ）は、制御部１１は、ステップＳ１０３にて登録されたアンテナが、サービスの提供のためのアンテナか否かを判断する（Ｓ１０７）。この際、例えば記憶部１３は、通信端末２が所定のサービスの提供を受けるために使用されているアンテナに関する情報を記憶している。そして制御部１１は、この情報に基づいて、ステップＳ１０３にて登録されたアンテナが所定のサービスの提供を受けるために使用されているアンテナであるか否かを判断する。
【００３５】
登録されたアンテナが所定のサービスの提供を受けるためのアンテナであった場合（Ｓ１０７のＹｅｓ）は、制御部１１は、このアンテナの識別情報に基づいて、サービスを提供しているサーバを検索する（Ｓ１０９）。この際、制御部１１は、予めサービスを提供しているサーバの識別情報をアンテナに関する情報に対応付けて記憶していて、このサーバの識別情報に基づいてサーバを検索しても良く、または、通信制御部１７を介して通信を行うことによりサービスを提供しているサーバの識別情報を検索しても良い。
【００３６】
制御部１１は、該当するサーバ、すなわち所定のサービスの提供を行っているサーバが見つかったか否かを判断する（Ｓ１１１）。該当するサーバが見つかった場合（Ｓ１１１のＹｅｓ）は、制御部１１は、ステップＳ１０１にて検出されたアンテナの識別情報を含んだＵＲＬを、ステップＳ１１１にて検出されたサーバに対して送信する（Ｓ１１３）。
【００３７】
通信端末２からアンテナの識別情報を含んだＵＲＬを受信したサーバ３は、通信端末２に対して、このＵＲＬに対応付けられたサービスを提供する。例えば、サーバ３が通信端末２に対して所定の情報を提供するサービスを提供している場合には、サーバ３は、このアンテナの識別情報に対応するＵＲＬのサービスを通信端末２に対して送信する。
【００３８】
制御部１１は、サーバ３から所定のサービスを受信したか否かを判断する（Ｓ１１５）。サーバ３から所定のサービスを受信していない場合（Ｓ１１５のＮｏ）は、制御部１１は所定のサービスを受信するまで待機する。サーバ３から所定のサービスを受信した場合（Ｓ１１５のＹｅｓ）は、制御部１１は、ステップＳ１１５にて受信したサービスの提供を受ける（Ｓ１１７）。例えば、サーバ３が通信端末２に対して所定の情報を提供するサービスを提供している場合には、制御部１１は、ステップＳ１１５にてこのアンテナの識別情報に対応するＵＲＬのサービスをサーバ３から受信して、この情報を、ステップＳ１１７にて、例えばディスプレイ１５に表示したりスピーカ１４ａから出力したりすることにより、ユーザに対して提供する。
【００３９】
また、登録されたアンテナが所定のサービスの提供を受けるためのアンテナでなかった場合（Ｓ１０７のＮｏ）、または、該当するサーバが見つからなかった場合（Ｓ１１１のＮｏ）は、通信端末２がサービスの提供を受けられるエリアにいない場合等であり、サービスの提供を受けることができないため、制御部１１はサーバ３からのサービスの提供を受けずに、サービス受信処理を終了する。
【００４０】
このようにして通信端末２は、アンテナから電波を受信すると、このアンテナの識別情報を含んだＵＲＬをサーバ３に対して送信する。そして通信端末２は、サーバ３から、このアンテナの識別情報を含んだＵＲＬに対応するサービスを受信すると、ユーザに対してこのサービスを提供する。
【００４１】
次に、サーバ３が通信端末２からアンテナ４Ａ乃至４Ｃの識別情報を含んだＵＲＬを受信したときに、この通信端末２に対して、受信したＵＲＬに基づいたサービスを提供するサービス提供処理を行う際の手順について、図８に示すフローチャートに基づいて説明する。
【００４２】
まずサーバ３の制御部２１は、通信端末２からアンテナ４Ａ乃至４Ｃの識別情報を含んだＵＲＬを受信したか否かを判断する（Ｓ２０１）。この際、制御部２１は、ステップＳ１１３にて通信端末２が送信したアンテナ４Ａ乃至４Ｃの識別情報を含んだＵＲＬを受信した場合に、アンテナ４Ａ乃至４Ｃの識別情報を含んだＵＲＬを受信したものと判断する。アンテナ４Ａ乃至４Ｃの識別情報を含んだＵＲＬを受信していない場合（Ｓ２０１のＮｏ）は、制御部２１はそのまま待機する。
【００４３】
アンテナ４Ａ乃至４Ｃの識別情報を含んだＵＲＬを受信した場合（Ｓ２０１のＹｅｓ）は、このアンテナに対して該当するサービスがあるか否かを判断する（Ｓ２０３）。このとき制御部２１は、例えばそのサービスが提供可能なものであった場合等に、該当するサービスがあるものと判断する。該当するサービスがなかった場合（Ｓ２０３のＮｏ）は、制御部２１は、通信端末２に対してサービスの提供を行わずに、サービス提供処理を終了する。
【００４４】
該当するサービスがあった場合（Ｓ２０３のＹｅｓ）は、制御部２１は、このアンテナ４Ａ乃至４Ｃの識別情報を含んだＵＲＬに基づいて、該当するサービスを取得する（Ｓ２０５）。例えばステップＳ２０１にて通信端末２からアンテナＡの識別情報に基づいたＵＲＬ（対応情報３０において、アンテナＡのアンテナ情報３１と対応付けられている「ｈｔｔｐ：／／ｔｏｓｈｉｂａ．ｃｏ．ｊｐ／ａｎｔｅｎｎａＡ／」のサービス情報３２）を受信した場合には、制御部２１は、このＵＲＬのサービスを取得する。
【００４５】
そして制御部２１は、ステップＳ２０５にて取得したサービスを、通信端末に対して提供する（Ｓ２０７）。例えば、サーバ３が通信端末２に対して所定のＵＲＬの表示情報を提供するサービスを提供している場合には、サーバ３の制御部２１は、この所定のＵＲＬに対応する表示情報を通信端末２に対して送信することにより、通信端末２にサービスを提供する。
【００４６】
このようにしてサーバ３は、通信端末２からアンテナ（エリア）の識別情報を含んだＵＲＬを受信すると、このＵＲＬに対応するサービスを取得して、通信端末２に対して送信する。
【００４７】
なお、実施形態として、通信端末２が複数のアンテナＡ乃至Ｃのいずれかの識別情報を含んだＵＲＬをサーバ３に対して送信して、その識別情報に対応するサービスを受信する例について説明したが、図９に示すように、サービスシステム１において、例えばアンテナ４Ｄが形成するエリアＤとアンテナ４Ｅが形成するエリアＥとが重なり合っていて、通信端末２がアンテナ４Ｄ及びアンテナ４Ｅの双方の電波を受信するような場合も考えられる。
【００４８】
このような場合には、図１０に示すように、通信端末２が、アンテナＤ及びアンテナＥの双方の識別情報を含んだＵＲＬをサーバ３に対して送信して、アンテナＤに対応するサービスＤ、及びアンテナＥに対応するサービスＥの双方のサービスを受信するようにしても良い。または、通信端末２が複数のアンテナからの電波を受信した場合に、最も電波強度の大きいアンテナを選択して、このアンテナの識別情報を含んだＵＲＬをサーバ３に対して送信しても良い。
【００４９】
あるいは、サーバ３が、アンテナＤ及びＥの双方の電波を受信した場合のサービスＦを記憶しておくことで、通信端末２が、アンテナＤ及びアンテナＥの双方の識別情報を含んだＵＲＬをサーバ３に対して送信して、このサービスＦを受信するようにしても良い。
【００５０】
また、実施形態として、サーバ３が通信端末２にサービスとしてＵＲＬ情報を送信して、通信端末２がこのＵＲＬ情報に基づいた表示情報をディスプレイ１５に表示する例について説明したが、これに限定されず、サーバ３が通信端末２にサービスとして音声情報を送信して、通信端末２がこの音声情報をスピーカ１４ｂを介して出力するようにしても良い。
【００５１】
または、サーバ３が通信端末２にサービスとしてゲーム等のアプリケーションプログラムを送信して、通信端末２がこのアプリケーションプログラムを実行するようにしても良い。あるいは、サーバ３が通信端末２に映像情報を送信して、通信端末２がこの映像情報をディスプレイ１５やスピーカ１４ｂを介して出力するようにしても良い。さらには、サーバ３が通信端末２に所定情報を送信して、通信端末２がこの所定情報に基づいて通話料金や通信料金を割引したり無料にしたりしても良い。
【００５２】
本発明に係る通信端末２、この通信端末２を使用したサービスシステム１、及びこの通信端末２を使用したサービス提供方法によると、位置情報に基づいてサービスの提供を受ける際に、通信端末２がアンテナ４Ａ乃至４Ｃの電波を受信してこのアンテナ４Ａ乃至４Ｃの識別情報に基づいてエリアを判別することにより、単一のサーバ３を用いて、各々のサービスのエリアを正確に判断でき、各々のエリアに対して細かい設定が可能で、柔軟性に富んだサービスを提供することが可能となる。
【図面の簡単な説明】
【００５３】
【図１】本発明に係るサービスシステムのシステム構成図。
【図２】本発明に係る通信端末がサーバからのサービスの提供を受ける手順を説明するための概略図。
【図３】本発明に係る通信端末がサーバからのサービスの提供を受ける手順を説明するための概略図。
【図４】本発明に係る通信端末の機能ブロック図。
【図５】本発明に係るサービスシステムが有するサーバの機能ブロック図。
【図６】対応情報のデータ構成図。
【図７】本発明に係る通信端末がサービス受信処理を行う際の手順を示すフローチャート。
【図８】本発明に係るサービスシステムが有するサーバがサービス提供処理を行う際の手順を示すフローチャート。
【図９】本発明に係るサービスシステムの別実施例のシステム構成図。
【図１０】本発明に係る通信端末がサーバからのサービスの提供を受ける際の別実施例の手順を説明するための概略図。
【符号の説明】
【００５４】
１…サービスシステム，２…通信端末，３…サーバ，４Ａ乃至４Ｃ…アンテナ，１１…制御部，１２…メモリ，１３…記憶部，１４…音声制御部，１４ａ…マイクロフォン，１４ｂ…スピーカ，１５…ディスプレイ，１６…操作キー，１７…通信制御部，１７ａ…アンテナ，２１…制御部，２２…メモリ，２３…記憶部，２４…通信制御部，２４ａ…アンテナ，３０…対応情報，３１…アンテナ情報，３２…サービス情報。
【図１】
2010011068.tif 000003
【図２】
2010011068.tif 000004
【図３】
2010011068.tif 000005
【図４】
2010011068.tif 000006
【図５】
2010011068.tif 000007
【図６】
2010011068.tif 000008
【図７】
2010011068.tif 000009
【図８】
2010011068.tif 000010
【図９】
2010011068.tif 000011
【図１０】
2010011068.tif 000012